(57)【要約】【課題】新旧管入れ取り替え工事などの配管工事における仮結びの接続作業を簡略化する。【解決手段】配管工事における仮結び用継手具１は、接続対象管Ｐ１，Ｐ２の端部に気密に接続される接続部材１０と、接続部材１０の内部に端部が挿入される連結管部材１１と、接続部材１０の内面と連結管部材１１の外周面との間をシールするシール部材１２と、連結管部材１１の端部を接続部材１０に取り付ける取り付け部材１３とを備え、連結管部材１１はその外周にシール部材１２を押圧する押圧凸部１１Ｂを備え、取り付け部材１３は、押圧凸部１１Ｂを押しながら接続部材１０の外周に結合する結合部（ネジ部１３Ａ）を備える。【選択図】図３
2015045378.tif 000002
【特許請求の範囲】
【請求項１】
配管工事における仮結びに用いられる継手具であって、
接続対象管の端部に気密に接続される接続部材と、
前記接続部材の内部に端部が挿入される連結管部材と、
前記接続部材の内面と前記連結管部材の外周面との間をシールするシール部材と、
前記連結管部材の端部を前記接続部材に取り付ける取り付け部材とを備え、
前記連結管部材はその外周に前記シール部材を押圧する押圧凸部を備え、
前記取り付け部材は、前記押圧凸部を押しながら前記接続部材の外周に結合する結合部を備えることを特徴とする配管工事における仮結び用継手具。
【請求項２】
前記取り付け部材は前記接続部材の外周に螺合するネジ部を有することを特徴とする請求項１に記載された配管工事における仮結び用継手具。
【請求項３】
前記連結管部材は、両端部に設けられる前記押圧凸部の間が可撓管によって構成されることを特徴とする請求項１又は２に記載された配管工事における仮結び用継手具。
【発明の詳細な説明】
【技術分野】
【０００１】
本発明は、新旧管入れ取り替え工事などの配管工事における仮結び用継手具に関するものである。
【背景技術】
【０００２】
ねずみ鋳鉄管の旧管とポリエチレン管の新管を入れ取り替えする工事では、長距離に亘って埋設されている旧管を一度に新管に入れ替えることができないため、一回の工事で十数メートルの旧管を新管に入れ取り替えし、一回の工事が終わる度に、新たに延長された新管の端部と未工事の旧管の端部を仮結びして、新旧両管のガス流通を確保している。また、ある区間の管路にライニングなどの補修工事を行う場合には、工事対象区間の管路両端を開放すると共に、この工事対象区間の管路が分断された上流側の管路と下流側の管路とのガス流通を確保するために、仮結び用のバイパス管が設置される。
【０００３】
このような仮結びにおいて、従来は図１に示すようなメカニカル継手が用いられている。この継手は、接続対象管Ｊ１の端部に接続される継手部材Ｊ２が、フランジ締結部Ｊ２１を有するメカニカル継手部Ｊ２０を備えている。接続対象管Ｊ１の端部内には必要に応じて補強部材Ｊ１０が打ち込まれて端部の剛性が高められており、その端部外周には、抜け止めリングＪ１１（ロックリングＪ１１ａ，カラーリングＪ１１ｂ）が装着されている。このような接続対象管Ｊ１の端部に押輪Ｊ１５を通した状態で、この端部をメカニカル継手部Ｊ２０内に挿入する。メカニカル継手部Ｊ２０の内面と接続対象管Ｊ１の外周面との間にバックアップリングＪ２２，ゴム輪Ｊ２３（丸ゴム輪Ｊ２３ａ，角ゴム輪Ｊ２３ｂ），座金Ｊ２４などの封止部材を挿入し、押輪Ｊ１５のリブ部で座金Ｊ２４を押すように、フランジ締結部Ｊ２１のボルト締結孔Ｊ２１ａと押輪Ｊ１５のボルト締結孔Ｊ１５ａにボルトＪ２５を通してナットＪ２６で締め付ける（下記特許文献１参照）。
【先行技術文献】
【特許文献】
【０００４】
【特許文献１】特開平１０−１３２１６８号公報
【発明の概要】
【発明が解決しようとする課題】
【０００５】
仮結びに前述したメカニカル継手を用いる場合には、接続対象となる一対の管路間に介在する継手部材Ｊ２の両側にメカニカル継手部Ｊ２０が設けられる。このため、一時的な接続で工事終了後には取り外されるものであるにも拘わらず、抜け止めリングＪ１１，バックアップリングＪ２２，ゴム輪Ｊ２３，ボルトＪ２５，ナットＪ２６などの多くの部品が継手部材Ｊ２の両側に必要になり、接続作業が繁雑で施工時間が長期化されると共に、施工費用が高くなる問題があった。
【０００６】
また、新旧管の接続では、新管と旧管の埋設深さが異なるため、その深さの違いに対応するための連結管が必要になる。このような連結管は、埋設深さの違いが様々であることから、長さの異なる連結管を用意する必要があり、このことが更に接続作業を繁雑にする原因になっていた。
【０００７】
本発明は、このような問題に対処することを課題の一例とするものである。すなわち、新旧管入れ取り替え工事などの配管工事における仮結びの接続作業を簡略化し、施工時間の短縮、材料費の低減などを可能にすること、埋設深さが異なる管の仮結びに対しても、同様に接続作業を簡略化できること、等が本発明の目的である。
【課題を解決するための手段】
【０００８】
このような目的を達成するために、本発明は、以下の構成を少なくとも具備するものである。
【０００９】
配管工事における仮結びに用いられる継手具であって、接続対象管の端部に気密に接続される接続部材と、前記接続部材の内部に端部が挿入される連結管部材と、前記接続部材の内面と前記連結管部材の外周面との間をシールするシール部材と、前記連結管部材の端部を前記接続部材に取り付ける取り付け部材とを備え、前記連結管部材はその外周に前記シール部材を押圧する押圧凸部を備え、前記取り付け部材は、前記押圧凸部を押しながら前記接続部材の外周に結合する結合部を備えることを特徴とする配管工事における仮結び用継手具。
【発明の効果】
【００１０】
このような特徴を有する本発明に係る仮結び用継手具は、再利用可能な接続部材と連結管部材とシール部材と取り付け部材からなり、仮結びの接続作業を安価且つ簡易に行うことができる。また、連結管部材の中間を可撓管にすることで、埋設深さが異なる管の仮結びに対しても、１種類の部材で対応することができる。これによって、仮結びの接続作業を簡略化し、施工時間の短縮、材料費の低減などを可能にすることができる。
【図面の簡単な説明】
【００１１】
【図１】従来技術の説明図である。
【図２】本発明の実施形態に係る仮結び用継手具の全体構成を示した説明図である。
【図３】本発明の実施形態に係る仮結び用継手具の要部を示した断面図である。
【発明を実施するための形態】
【００１２】
以下、図面を参照しながら本発明の実施形態を説明する。図２は、本発明の実施形態に係る仮結び用継手具の全体構成を示した説明図であり、図３が、本発明の実施形態に係る仮結び用継手具の要部を示した断面図である。
【００１３】
仮結び用継手具１は、例えば、ポリエチレン管の新管である接続対象管Ｐ１とねずみ鋳鉄管の旧管である接続対象管Ｐ２の端部間に接続する配管工事において、接続対象管Ｐ１，Ｐ２間の仮結びに用いられるものである。この仮結び用継手具１は、接続部材１０、連結管部材１１、シール部材１２、取り付け部材１３を備えている。
【００１４】
接続部材１０は、接続対象管Ｐ１，Ｐ２の端部に気密に接続されるものであり、接続対象管Ｐ１，Ｐ２との接続は従来周知のメカニカル継手部１０Ａによって接続される。メカニカル継手部１０Ａの構造については、図１に示すような構造を採用することができるので、ここでは詳細説明を省略する。なお、メカニカル継手部１０Ａの構成は図１の構成に限らず、その他の周知構造を採用することができる。また、接続部材１０は、連結管部材１１と接続するための連結部１０Ｂを備えている。連結部１０Ｂはやや小口径の連結端部１０Ｂ１を備えており、ここでは、連結端部１０Ｂ１の外周に接合部としてネジ部１０Ｂ２が形成されている。
【００１５】
連結管部材１１は、接続部材１０（連結端部１０Ｂ１）の内部に端部１１Ａが挿入され、その外周にシール部材１２を押圧する押圧凸部１１Ｂを備えている。押圧凸部１１Ｂは連結管部材１１の外周にリング状に一体形成した凸部であり、連結管部材１１の外周に溶接などでリング状部材を固着させることで形成することができる。図１に示した例では、連結管部材１１は、押圧凸部１１Ｂの間が可撓管（蛇腹管）１１Ｃによって構成されている。
【００１６】
シール部材１２は、接続部材１０の内面と連結管部材１１の外周面との間をシールするものであり、弾性リング，ゴムリングなどで構成することができる。取り付け部材１３は、連結管部材１１の端部１１Ａを接続部材１０に取り付けるものであり、接続部材１０の連結端部１０Ｂ１の外周に形成されたネジ部１０Ｂ２に螺合する結合部としてのネジ部１３Ａを備えている。取り付け部材１３のネジ部（結合部）１３Ａと接続部材１０のネジ部（結合部）１０Ｂ２とを螺合してねじ込むことで、取り付け部材１３が連結管部材１１の押圧凸部１１Ｂを押して、シール部材１２が接続部材１０の内面と連結管部材１１の外周面の間に押し込められる。
【００１７】
このような構造を備えた仮結び用継手具１は、予め連結管部材１１と接続部材１０とを接続しておけば、接続部材１０を接続対象管Ｐ１，Ｐ２に接続するだけで、簡易に新旧管の仮結びをおこなうことができる。また、接続部材１０と連結管部材１１との接続も、接続部材１０の内面と連結管部材１１の外周面との間にシール部材１２を介在させ、取り付け部材１３をねじ込むだけでよく、簡易に両者を接続することができる。また、この仮結び用継手具１は、次の工事が始まると取り外して再利用することが可能であるから、資材を無駄にすることがない。
【００１８】
このような特徴を有する仮結び用継手具１は、再利用可能な接続部材１０と連結管部材１１とシール部材１２と取り付け部材１３からなり、仮結びの接続作業を安価且つ簡易に行うことができる。また、連結管部材１１の中間を可撓管１１Ｃにすることで、埋設深さが異なる管の仮結びに対しても、１種類の部材で対応することができる。これによって、仮結びの接続作業を簡略化し、施工時間の短縮、材料費の低減などを可能にすることができる。
【００１９】
以上、本発明の実施の形態について図面を参照して詳述してきたが、具体的な構成はこれらの実施の形態に限られるものではなく、本発明の要旨を逸脱しない範囲の設計の変更等があっても本発明に含まれる。また、上述の各実施の形態は、その目的及び構成等に特に矛盾や問題がない限り、互いの技術を流用して組み合わせることが可能である。
【符号の説明】
【００２０】
１：仮結び用継手具，１０：接続部材，１１：連結管部材，１２：シール部材，
１３：取り付け部材，１０Ａ：メカニカル継手部，１０Ｂ：連結部，
１０Ｂ１：連結端部，１０Ｂ２：ネジ部，１１Ａ：端部，１１Ｂ：押圧凸部，１１Ｃ：可撓管（蛇腹管）
【図１】
2015045378.tif 000003
【図２】
2015045378.tif 000004
【図３】
2015045378.tif 000005